(57)【要約】【課題】原稿押さえ装置において原稿押圧板に取り付けられた弾性部材の破損を防止する。【解決手段】原稿押さえ装置は、原稿読取部５の一端に回動自在に支持されて開閉自在な原稿押さえカバー１６２と、原稿押さえカバー１６２の下面に固着された弾性部材１６５と、原稿押さえカバー１６２の下面において弾性部材１６５を両側から挟む位置に突設され、弾性部材１６５の厚みよりも短い突出長の一組のリブ１６２ａと、柔軟性を有し、弾性部材１６５の下面を覆って両端が一組のリブ１６２ａに掛止されるフィルム１６６と、フィルム１６６と面ファスナー１６７により取り付けられ、原稿押さえカバー１６２への接触時には、コンタクトガラス１６１からの相対的な押圧を弾性部材１６５により吸収する状態で、原稿をコンタクトガラス１６１に押さえ付ける原稿押圧板１６４とを備える。【選択図】図２
2015226080.tif 000002
【特許請求の範囲】
【請求項１】
原稿読取部の一端に回動自在に支持されて、前記原稿読取部のコンタクトガラスに対して接離可能とされ、原稿読取部のコンタクトガラスに載置された原稿を押さえる原稿押さえカバーと、
前記原稿押さえカバーの下面であって、前記コンタクトガラスに対向する面に固着された弾性部材と、
前記原稿押さえカバーの下面において前記弾性部材を両側から挟む位置に突設され、前記弾性部材の厚みよりも短い突出長の一組のリブと、
可撓性を有し、前記弾性部材の下面を覆って両端が前記一組のリブに掛け止めされるフィルムと、
前記フィルムに対して面ファスナーにより取り付けられ、前記原稿押さえカバーに接触しているときに、前記コンタクトガラスからの相対的な押圧を前記弾性部材により吸収する状態で、前記原稿を前記コンタクトガラスに押さえ付ける原稿押圧板と、を備えた原稿押さえ装置。
【請求項２】
前記フィルムは、両端に掛止突起部を有しており、
前記一組のリブは、前記フィルムの両端が挿通される開口部を有し、
前記掛止突起部が前記開口部に掛け止めされている請求項１に記載の原稿押さえ装置。
【請求項３】
原稿読取部の一端に回動自在に支持されて、前記原稿読取部のコンタクトガラスに対して接離可能とされ、前記原稿読取部の前記コンタクトガラスに載置された原稿を押さえる原稿押さえカバーと、
可撓性を有するフィルムが周囲に巻かれた状態で、前記原稿押さえカバーの下面であって、前記コンタクトガラスに対向する面に、当該フィルムを介して固着された弾性部材と、
前記フィルムの下面に対して面ファスナーにより取り付けられ、前記原稿押さえカバーに接触しているときに、前記コンタクトガラスからの相対的な押圧を前記弾性部材により吸収した状態で、前記原稿を前記コンタクトガラスに押さえ付ける原稿押圧板と、を備えた原稿押さえ装置。
【請求項４】
前記原稿読取部と、
前記原稿読取部による読取で得られた原稿画像を画像形成する画像形成部と、
請求項１乃至請求項３のいずれかに記載の原稿押さえ装置と、を備えた画像形成装置。
【発明の詳細な説明】
【技術分野】
【０００１】
本発明は、原稿押さえ装置及びそれを備えた画像形成装置に関し、特に、原稿押さえ装置の破損を防止する技術に関する。
【背景技術】
【０００２】
コピー機、スキャナー、ファクシミリ装置、及び複合機等には、原稿読取部のコンタクトガラスに載置された原稿を押さえる原稿押さえ装置が備わっており、原稿を１枚ずつ手動で読み取らせる場合、原稿読取部のコンタクトガラス上に読取面を下にして原稿を載置して原稿読取部に原稿の画像を読み取らせる。このとき、原稿がコンタクトガラスから浮き上がらないようにするために、原稿押さえカバーを閉じて原稿をコンタクトガラスに対して押下することで、コンタクトガラスに原稿を密着させる。
【０００３】
例えば、下記特許文献１乃至特許文献３に開示されているように、原稿押さえカバーの下面であって、コンタクトガラスに対向する面には、スポンジ等の弾性部材を介して板部材（原稿押圧板）が設けられている。原稿押さえカバーを閉じた状態において、原稿押圧板は弾性部材による弾性力を有して原稿をコンタクトガラスに確実に密着させる。
【先行技術文献】
【特許文献】
【０００４】
【特許文献１】特開２００２−３５０９９７号公報
【特許文献２】特開２００８−１５２１８５号公報
【特許文献３】特開２０１０−６８２４６号公報
【発明の概要】
【発明が解決しようとする課題】
【０００５】
原稿押さえカバーと原稿押圧板とを繋ぐ上記弾性部材は、設置環境における高温高湿環境や経時変化で劣化するため、原稿押圧板が自重により原稿押さえカバーから剥がれ落ちることがある。また、一部の原稿押圧板は弾性部材に貼り付けられた面ファスナーにより原稿押さえカバーに取り付けられ、メンテナンス時に原稿押さえカバーから取り外し可能とされているが、そのような原稿押圧板の脱着を繰り返すと、面ファスナーから原稿押圧板を剥がす際に弾性部材に破れが生じて、最悪の場合には千切れてしまうことがある。一方、弾性部材に破れにくい硬い素材を用いると、原稿自動搬送装置がコンタクトガラスに対する正規の高さよりも浮き上がり、特に原稿押さえ装置が原稿自動搬送装置（ＡＤＦ）と兼用されている場合に、画像の読み取り不良や原稿の搬送不良等が発生するおそれがある。
【０００６】
本発明は、上記の問題を解決するためになされたもので、原稿押さえ装置において原稿押圧板に取り付けられた弾性部材の破損を防止することを目的とする。
【課題を解決するための手段】
【０００７】
本発明の一局面に係る原稿押さえ装置は、原稿読取部の一端に回動自在に支持されて、前記原稿読取部のコンタクトガラスに対して接離可能とされ、原稿読取部のコンタクトガラスに載置された原稿を押さえる原稿押さえカバーと、
前記原稿押さえカバーの下面であって、前記コンタクトガラスに対向する面に固着された弾性部材と、
前記原稿押さえカバーの下面において前記弾性部材を両側から挟む位置に突設され、前記弾性部材の厚みよりも短い突出長の一組のリブと、
可撓性を有し、前記弾性部材の下面を覆って両端が前記一組のリブに掛け止めされるフィルムと、
前記フィルムに対して面ファスナーにより取り付けられ、前記原稿押さえカバーに接触しているときに、前記コンタクトガラスからの相対的な押圧を前記弾性部材により吸収する状態で、前記原稿を前記コンタクトガラスに押さえ付ける原稿押圧板と、を備えたものである。
【０００８】
また、本発明の一局面に係る原稿押さえ装置は、原稿読取部の一端に回動自在に支持されて、前記原稿読取部のコンタクトガラスに対して接離可能とされ、前記原稿読取部の前記コンタクトガラスに載置された原稿を押さえる原稿押さえカバーと、
可撓性を有するフィルムが周囲に巻かれた状態で、前記原稿押さえカバーの下面であって、前記コンタクトガラスに対向する面に、当該フィルムを介して固着された弾性部材と、
前記フィルムの下面に対して面ファスナーにより取り付けられ、前記原稿押さえカバーに接触しているときに、前記コンタクトガラスからの相対的な押圧を前記弾性部材により吸収した状態で、前記原稿を前記コンタクトガラスに押さえ付ける原稿押圧板と、を備えたものである。
【発明の効果】
【０００９】
本発明によれば、原稿押圧板に取り付けられた弾性部材の弾性による押圧で原稿をコンタクトガラスに密着させることができ、かつ、当該弾性部材の経年劣化や引っ張りに対する耐性を高めて、弾性部材の破損を防止することができる。
【図面の簡単な説明】
【００１０】
【図１】本発明の一実施形態に係る画像形成装置の構造を示す正面断面図である。
【図２】本発明の一実施形態に係る原稿押さえ装置の構造を示す正面断面図である。
【図３】弾性部材とその周辺の部材の配置関係を示す原稿押さえ装置下面の平面図である。
【図４】原稿押さえ装置におけるリブ取付位置の側面図である。
【図５】本発明の別の実施形態に係る原稿押さえ装置における弾性部材取付位置の正面断面図である。
【発明を実施するための形態】
【００１１】
以下、本発明の一実施形態に係る原稿押さえ装置及び画像処理装置について図面を参照して説明する。図１は、本発明の一実施形態に係る画像形成装置の構造を示す正面断面図である。本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１３】
原稿読取部５は、原稿読取部５の上面に装着されたコンタクトガラス１６１と、このコンタクトガラス１６１に載置された原稿を押さえる開閉自在の原稿押さえカバー１６２と、コンタクトガラス１６１に載置された原稿の画像を読み取る読取機構１６３とを備えている。読取機構１６３は、ＣＣＤ（Charge Coupled Device）等を用いて原稿の画像を光学的に読み取る。
【００１４】
原稿給送部６は、原稿が載置される原稿載置台６１と、画像読み取り済みの原稿が排出される原稿排出部６６と、原稿搬送機構６５と、を備える。原稿搬送機構６５は、図略の給紙ローラー、搬送ローラー、及び用紙反転機構を備えている。原稿搬送機構６５は、給紙ローラー及び搬送ローラーの駆動により、原稿載置台６１に載置された原稿を１枚ずつ繰り出して原稿読取スリット５３に対向する位置へ搬送し、原稿読取スリット５３を介して読取機構１６３による読取を可能とした後、原稿排出部６６へと排出する。
【００１５】
更に原稿給送部６は、その前面側が上方に移動可能となるように装置本体１１に対して回動自在に設けられている。原稿給送部６の前面側を上方に移動させて原稿台としてのコンタクトガラス１６１上面を開放することにより、コンタクトガラス１６１の上面に読み取り原稿、例えば見開き状態にされた書籍等をユーザーが載置できる。すなわち、本実施形態において、原稿給送部６が特許請求の範囲における原稿押さえ装置に相当する。
【００１６】
画像形成装置１が原稿読取動作を行う場合、原稿給送部６により給送されてくる原稿、又はコンタクトガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１７】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部（印刷部）１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１８】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１９】
給紙部１４は、複数の給紙カセットを備える。制御部１００（図２）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００２０】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００２１】
次に、本発明の一実施形態に係る原稿押さえ装置について説明する。図２は、本発明の一実施形態に係る原稿押さえ装置の構造を示す正面断面図である。
【００２２】
本実施形態に係る原稿押さえ装置は、上記の原稿押さえカバー１６２を備える。原稿押さえカバー１６２の下面には複数の弾性部材１６５が予め定められた間隔で配置されている。弾性部材１６５は、例えば厚さ数ｃｍであり、側面視で略直方体形状をしており、適度な反発力を有するウレタンやスポンジ等により形成される。弾性部材１６５は、接着剤や両面テープ等により原稿押さえカバー１６２の下面であって、コンタクトガラス１６１に対向する面に固着されている。
【００２３】
原稿押さえカバー１６２の下面において、弾性部材１６５の両側方位置には、弾性部材１６５の両側面から若干離隔してそれぞれリブ１６２ａが突設されている。当該一組のリブ１６２ａの突出長は弾性部材１６５の厚みよりも短いことが好適である。
【００２４】
更に、原稿押さえカバー１６２の下面において、フィルム１６６が弾性部材１６５の下面（コンタクトガラス１６１に対向する面）を覆っており、その両端が一組のリブ１６２ａに掛止にされている。フィルム１６６は、ポリ塩化ビニル（ＰＶＣ）等の可撓性を有する柔軟な素材でできている。
【００２５】
フィルム１６６の表面（コンタクトガラス１６１に対向する面）、より詳細には、弾性部材１６５との接触面の反対側の表面に面ファスナー１６７が貼付されている。そして、面ファスナー１６７を介して、板状部材である原稿押圧板１６４がフィルム１６６に対して取り付けられている。原稿押圧板１６４は、原稿押さえカバー１６２を閉じた状態において、弾性部材１６５から押圧力を受けて原稿をコンタクトガラス１６１に押さえつける。すなわち、原稿押圧板１６４は、原稿押さえカバー１６２に接触しているときに、コンタクトガラス１６１からの相対的な押圧を弾性部材１６５の弾性力により吸収する状態で、原稿をコンタクトガラス１６１に押さえ付ける。
【００２６】
図３は、弾性部材１６５とその周辺の部材の配置関係を示す原稿押さえ装置下面の平面図である。図４は、原稿押さえ装置におけるリブ１６２ａ取付位置の側面図である。
【００２７】
リブ１６２ａの下端付近に開口部１６２ｂが穿孔されている。開口部１６２ｂの高さはフィルム１６６の厚み程度であり、開口部１６２ｂの幅はフィルム１６６の幅程度である。
【００２８】
フィルム１６６は、両端に掛止突起部（フック）１６６ａを有する。フィルム１６６の先端がリブ１６２ａの開口部１６２ｂに挿通されると、掛止突起部１６６ａがリブ１６２ａの側面に引っ掛かってフィルム１６６が開口部１６２ｂから抜けるのを防止する。この掛止時には、掛止突起部１６６ａがリブ１６２ａに対して若干の遊びを有した状態で掛止していることが好ましい。なお、フィルム１６６の先端がリブ１６２ａの開口部１６２ｂを挿通するときは、フィルム１６６の先端が撓むことにより当該先端が開口部１６２ｂを通過可能となっている。
【００２９】
上述したように、リブ１６２ａの突出長（コンタクトレンズ１６１に向かう方向への高さ）は弾性部材１６５の厚みよりも短くなっている（図２）。また、フィルム１６６は可撓性素材でできている。これにより、原稿押さえカバー１６２を閉じたときに、コンタクトガラス１６１に載置された原稿の厚みに応じて、弾性部材１６５が縮み、原稿押さえカバー１６２の下面と原稿押圧板１６４との間隙が変化する。例えば、書籍等の厚い原稿の場合には、弾性部材１６５がリブ１６２ａの突出長まで押し潰され、原稿押さえカバー１６２の下面と原稿押圧板１６４との間隙は小さくなる。一方、紙等の薄い原稿の場合には、弾性部材１６５は比較的に押し潰される量が少なく、原稿押さえカバー１６２の下面と原稿押圧板１６４との間隙は大きくなる。いずれの場合にも、押し潰された弾性部材１６５の反発力によって原稿押圧板１６４に適度な弾性力が付与され、原稿をコンタクトガラス１６１に確実に密着させることができる。
【００３０】
メンテナンス等で原稿押圧板１６４を取り外す場合には、原稿押圧板１６４は面ファスナー１６７から引き剥がされる。面ファスナー１６７はフィルム１６６の表面に貼付されているため、原稿押圧板１６４を引き剥がす際の引っ張り力はフィルム１６６には伝わるものの弾性部材１６５には伝わらない。このため、弾性部材１６５に破れが生じにくくなり、弾性部材１６５が千切れる心配がない。
【００３１】
次に、本発明の別の実施形態に係る原稿押さえ装置について説明する。図５は、本発明の別の実施形態に係る原稿押さえ装置における弾性部材１６５の取付位置の正面断面図である。
【００３２】
本実施形態に係る原稿押さえ装置は、上記の原稿押さえカバー１６２を備える。原稿押さえカバー１６２の下面には複数の弾性部材１６５が適当な間隔で配置されている。なお、図５では代表的に１個の弾性部材１６５を示している。弾性部材１６５は、厚さ数ｃｍの略直方体形状をしており、適度な反発力を有するウレタンやスポンジ等でできている。
【００３３】
弾性部材１６５には図５に示すようにフィルム１６６が周囲に巻かれており、弾性部材１６５の上面、下面、及び両側面の４面はフィルム１６６によって覆われている。フィルム１６６は、ポリ塩化ビニル（ＰＶＣ）等の柔軟性素材でできている。フィルム１６６が巻かれた弾性部材１６５は、接着剤や両面テープ等により原稿押さえカバー１６２の下面（コンタクトガラス１６１に対向する面）に固着されている。
【００３４】
フィルム１６６の表面、より詳細には、弾性部材１６５との接触面の反対側の表面（コンタクトガラス１６１に対向する面）に面ファスナー１６７が貼付されている。そして、面ファスナー１６７を介して、板部材である原稿押圧板１６４がフィルム１６６に取り付けられている。原稿押圧板１６４は、原稿押さえカバー１６２を閉じた状態において、弾性部材１６５からの弾性力を有して原稿をコンタクトガラス１６１に押さえ付ける。
【００３５】
メンテナンス等で原稿押圧板１６４を取り外す場合には、原稿押圧板１６４は面ファスナー１６７から引き剥がされる。面ファスナー１６７はフィルム１６６の表面に貼付されているため、原稿押圧板１６４を引き剥がす際の引っ張り力はフィルム１６６には伝わるものの弾性部材１６５には伝わらない。このため、弾性部材１６５に破れが生じにくくなり、弾性部材１６５が千切れる心配がない。
【００３６】
以上のように、本実施形態によれば、原稿押圧板１６４に連結された弾性部材１６５の押圧力によって原稿をコンタクトガラス１６１に密着させることができ、かつ、弾性部材１６５の経年劣化や引っ張りに対する耐性を高めて弾性部材１６５の破損を防止することができる。
【００３７】
なお、本発明は上記実施の形態の構成に限られず種々の変形が可能である。例えば、上記実施形態では、本発明に係る画像形成装置の一実施形態として複合機を用いて説明しているが、これは一例に過ぎず、他の電子機器、例えば、スキャナー装置、コピー機、ファクシミリ装置等の他の画像形成装置でもよい。
【００３８】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００３９】
１        画像形成装置
５        原稿読取部
１６１    コンタクトガラス
１６２    原稿押さえカバー
１６２ａ  リブ
１６２ｂ  開口部
１６４    原稿押圧板
１６５    弾性部材
１６６    フィルム
１６６ａ  掛止突起部
１６７    面ファスナー
【図１】
2015226080.tif 000003
【図２】
2015226080.tif 000004
【図３】
2015226080.tif 000005
【図４】
2015226080.tif 000006
【図５】
2015226080.tif 000007